(57)【特許請求の範囲】
【請求項１】
浴室天井に設置され、浴室外の熱源機と循環配管で結ばれる温水暖房機において、排気ダクト接続部と前記循環配管の接続部を天井に開口された点検口側の面に集約し、前記温水暖房機の配管接続部に一端側が雄管部で他端側が雌管部のＬ字状のエルボー部材を設けて前記循環配管を接続したことを特徴とする温水暖房機。
【請求項２】
前記循環配管を構成する往管と戻管が、長さの異なる前記エルボー部材に接続されていることを特徴とする請求項１に記載の温水暖房機。
【発明の詳細な説明】
【０００１】
【産業上の利用分野】
この発明は、浴室の天井に設置される温水暖房機に関するものである。
【０００２】
【従来の技術及びその課題】
従来、図９に概略図で示すようなユニットバス１の天井面は、平らな平天井２，３で構成されており、平天井２には取付口２ａが開口され、また、平天井３には点検口３ａが設けられて、図１２の拡大斜視図で示すように、取付口２ａに設置した温水暖房機４の接続部４ｂに対し、点検口３ａ側から、浴室外に設置された熱源機からの循環配管５の行き，戻り管５ａ，５ｂを接続しており、この行き，戻り管５ａ，５ｂは架橋ポリエチレン管で構成され、ある程度の可撓性はあるが、強引に曲げると折れたり白化して漏水事故につながるために、急激に曲げることはできず、循環配管５は点検口３ａの上方を這わして配管することが多く、そのため、点検口３ａの開口スペースが少なくなって、作業性が悪くなり、また、メンテナンス時等には点検口３ａが着脱し辛くなるという問題点があった。
【０００３】
また、従来、図１０に示すように、平天井２とドーム天井９で構成されるハーフドーム式ユニットバス１において、取付口２ａに温水暖房機４を設置する場合に、図１３の側面図で示すように、循環配管５がドーム天井９に干渉してしまうという問題点があった。
同様に、図１１に示すようなフルドーム天井１０を有するフルドーム天井式ユニットバス１においても、循環配管５の取り回しが難しくなるという問題点があった。
【０００４】
【課題を解決するための手段】
本発明は上記従来の問題点に鑑み案出したものであって、点検口やドーム形状を避けて、良好に循環配管の取り回しができる温水暖房機を提供せんことを目的とし、その第１の要旨は、浴室天井に設置され、浴室外の熱源機と循環配管で結ばれる温水暖房機において、排気ダクト接続部と前記循環配管の接続部を天井に開口された点検口側の面に集約し、前記温水暖房機の配管接続部に一端側が雄管部で他端側が雌管部のＬ字状のエルボー部材を設けて前記循環配管を接続したことである。
また、第２の要旨は、前記循環配管を構成する往管と戻管が長さの異なる前記エルボー部材に接続されていることである。
【０００５】
【実施例】
以下、本発明の実施例を図面に基づいて説明する。
図１は、前記図９に示した平天井２，３を有するユニットバスの平面図であり、平天井式ユニットバス１の平天井２に開口された取付口２ａには、図３に示すように、温水暖房機４が設置されるものであり、この場合に、平天井３側に開口された点検口３ａから接続作業等を行なうことができ、本例では、温水暖房機４の接続部４ｂ，４ｂに対し、点検口３ａ側から、エルボー部材６，７を介在させて循環配管５をＬ状に配管するものである。
【０００６】
循環配管５は、架橋ポリエチレン製の往管５ａと戻管５ｂで構成されて鞘管内に収められており、往管５ａは、小エルボー部材６を介して温水暖房機４の接続部４ｂに接続され、また、戻管５ｂは、大エルボー部材７を介して温水暖房機４の接続部４ｂに接続されて、往管５ａと戻管５ｂが干渉することなく、良好にＬ状に取り回しができて、平天井３の点検口３ａ上に回り込むことなく良好に配管できるように構成されている。
なお、図２の右側面図で示すように、小エルボー部材６及び大エルボー部材７は、先端を傾斜状に持ち上げ、循環配管５が平天井２上に湾曲するように配置させることができるものである。
【０００７】
なお、前記小エルボー部材６は、図４の拡大図で示すような構造に形成されており、Ｌ字状のＬ管部６ａの両端側に、それぞれ鍔６ｂを介在させて雄管部６ｃが突出形成されて、雄管部６ｃにはオーリング８が外嵌されたものとなっている。
なお、鍔６ｂと雄管部６ｃは真鍮製で、切削加工して製造することができ、Ｌ管部６ａは銅パイプで形成して、Ｌ管部６ａに鍔６ｂをロー付けで接合して製造することができる。
【０００８】
なお、この小エルボー部材６は、図５に示すように、一端側を雌管部６ｄとして構成しても良く、雌管部６ｄは凹み状に形成されて、先端側に鍔６ｅが一体化されたものとなっている。
なお、例えば、前記往管５ａの先端に、図６に示すように、例えば雌管部６ｄを形成させておき、エルボー部材６側の雄管部６ｃを、この雌管部６ｄ内にオーリング８を介在させて水密状に嵌め込み、雌管部６ｄ側の鍔６ｅと雄管部６ｃ側の鍔６ｂを当接させた状態で、その鍔６ｂ，６ｅの外周にクイックファスナーを嵌め込んで、両者をクイックファスナーで止め付けて連結することができ、ワンタッチで接続を行なえるように構成しておくことができるものである。
なお、大エルボー部材７も図４のような形状に形成されており、Ｌ管部の長さが小エルボー部材６よりも長く設計されたものであり、図１のように循環配管５の往管５ａと戻管５ｂが干渉することのないように、小エルボー部材６と大エルボー部材７は長さの異なるものに設定されている。
【０００９】
このようにエルボー部材６，７を介在させ、循環配管５を良好に天井裏で取り回しできるために、点検口３ａを回避して循環配管５を配管でき、点検口３ａから、温水暖房機４の排気ダクト接続部４ｃに対する排気ダクトの接続とか、電源端子４ｄに対する配線作業とか、リモコンコネクター４ｅに対する配線接続作業等を良好に行なうことができるものとなり、また、点検口３ａが着脱しにくくなることもなく、メンテナンス時にも良好にメンテナンス作業が行なえるものとなる。
【００１０】
次に、図７はハーフドーム天井式ユニットバス１に温水暖房機４を設置した状態の平面構成図であり、図８の側面図で示すように、温水暖房機４に、小エルボー部材６と大エルボー部材７を介在させて循環配管５をＬ状に取り回し、しかも小エルボー部材６と大エルボー部材７を上方へ傾斜させて、ドーム天井９のドーム形状を回避させて良好に配管することができるものとなり、ドーム天井９と循環配管５が干渉することを避けることができ、点検口９ａから良好に接続作業を行なえ、また、その他のダクトとか配線の接続作業も容易に行なうことができ、また、その後のメンテナンスも容易なものとなる。
【００１１】
【発明の効果】
本発明は、浴室天井に設置され、浴室外の熱源機と循環配管で結ばれる温水暖房機において、排気ダクト接続部と前記循環配管の接続部を天井に開口された点検口側の面に集約し、前記温水暖房機の配管接続部に一端側が雄管部で他端側が雌管部のＬ字状のエルボー部材を設けて前記循環配管を接続したことにより、エルボー部材により、点検口やドーム形状を避けて良好に循環配管の取り回しができるものとなり、接続作業が容易で、また、その他の排気ダクトの接続とか配線接続作業等の作業性が良好なものとなり、また、点検口が着脱しにくくなることもなく、その後のメンテナンスも容易なものとなる。しかも、無理に曲げないために循環配管が折れたり白化することがなく、漏水を確実に無くすることができるものとなる。
【００１２】
また、循環配管を構成する往管と戻管が長さの異なるエルボー部材に接続されていることにより、長さの異なるエルボー部材を使用して、循環配管を構成する往管と戻管の干渉を防いで、浴室天井裏に循環配管を無理に曲げることなく良好に取り回して配管することができるものとなる。
【図面の簡単な説明】
【図１】  平天井式ユニットバスに温水暖房機を設置した状態の平面構成図である。
【図２】  図１の右側面図である。
【図３】  温水暖房機を天井に設置した状態の拡大図である。
【図４】  エルボー部材の拡大構成図である。
【図５】  先端に雌管部を設けたエルボー部材の構成図である。
【図６】  エルボー部材と循環配管をワンタッチで接続できる構造の分解図である。
【図７】  ハーフドーム天井式ユニットバスに温水暖房機を設置した状態の平面構成図である。
【図８】  図７の側面概略構成図である。
【図９】  平天井式ユニットバスの概略斜視図である。
【図１０】  ハーフドーム天井式ユニットバスの概略斜視図である。
【図１１】  フルドーム天井式ユニットバスの概略斜視図である。
【図１２】  従来、平天井式ユニットバスに温水暖房機を設置した状態の拡大斜視構成図である。
【図１３】  従来、ハーフドーム天井式ユニットバスに温水暖房機を設置した状態の側面構成図である。
【符号の説明】
１  ユニットバス
２，３  平天井
２ａ  取付口
３ａ  点検口
４  温水暖房機
４ｂ  配管接続部
５  循環配管
５ａ  往管
５ｂ  戻管
６  小エルボー部材
６ａ  Ｌ管部
６ｂ  鍔
６ｃ  雄管部
６ｄ  雌管部
６ｅ  鍔
７  大エルボー部材
８  オーリング
９  ドーム天井
９ａ  点検口
１０  フルドーム天井
【図１】
0003790982.tif 000002
【図２】
0003790982.tif 000003
【図３】
0003790982.tif 000004
【図４】
0003790982.tif 000005
【図５】
0003790982.tif 000006
【図６】
0003790982.tif 000007
【図７】
0003790982.tif 000008
【図８】
0003790982.tif 000009
【図９】
0003790982.tif 000010
【図１０】
0003790982.tif 000011
【図１１】
0003790982.tif 000012
【図１２】
0003790982.tif 000013
【図１３】
0003790982.tif 000014